(57)【要約】【課題】サイズ、形状等を異にする複数の原稿を同時に読み取っても、原稿毎に同一の形式に収め、且つ所定の付加情報を付すことができる画像処理装置、画像処理方法及びプログラムを提供すること。【解決手段】画像入力部１２により複数の原稿を同時に読み込み、該読み込んだ画像から画像分割部１３でもって各原稿に分割し所定の処理をする画像処理装置において、複数の原稿の電子文書化に供される電子文書化設定情報が予め用意されている電子文書化設定情報記憶回路１４１と、電子文書化設定情報記憶回路１４１に用意された電子文書化設定情報に基づいて所定の原稿用紙に所定の付加情報を付した背景画像を生成する背景画像生成部１５と、背景画像に電子文書化設定情報に基づいて画像分割部１３により得られた分割画像を所定の領域に配置して合成する画像合成部１６と、画像合成部１６により合成された合成画像を保存する画像保存部１７と、を有する。【選択図】図１
2007110339.tif 000002
【特許請求の範囲】
【請求項１】
画像入力手段により複数の原稿を同時に読み込み、該読み込んだ画像から画像分割手段でもって各原稿に分割し所定の処理をする画像処理装置において、
前記複数の原稿の電子文書化に供される電子文書化設定情報が予め用意されている電子文書化設定手段と、
前記電子文書化設定手段に用意された前記電子文書化設定情報に基づいて所定の原稿用紙に所定の付加情報を付した背景画像を生成する背景画像生成手段と、
前記背景画像に前記電子文書化設定情報に基づいて前記画像分割手段により得られた分割画像を所定の領域に配置して合成する画像合成手段と、
前記合成手段により合成された合成画像を保存する画像保存手段と、
を有することを特徴とする画像処理装置。
【請求項２】
前記画像保存手段は、前記合成画像に電子署名を添付して保存することを特徴とする請求項１に記載の画像処理装置。
【請求項３】
画像入力手段により複数の原稿を同時に読み込み、該読み込んだ画像から画像分割手段でもって各原稿に分割し所定の処理をする画像処理方法において、
前記複数の原稿の電子文書化に供される電子文書化設定情報を予め用意し、
前記電子文書化情報に基づいて所定の原稿用紙に所定の付加情報を付した背景画像を生成し、
前記背景画像に前記電子文書化設定情報に基づいて前記画像分割手段により得られた分割画像を所定の領域に配置して合成し、
前記合成された合成画像を保存する、
ことを特徴とする画像処理方法。
【請求項４】
前記合成画像を保存する際に電子署名を添付することを特徴とする請求項３に記載の画像処理方法。
【請求項５】
画像入力手段により複数の原稿を同時に読み込み、該読み込んだ画像から画像分割手段でもって各原稿に分割し所定の処理をする画像処理装置において、前記複数の原稿の電子文書化に供される電子文書化設定情報が予め用意されている電子文書化設定手段と、前記電子文書化設定手段に用意された前記電子文書化設定情報に基づいて所定の原稿用紙に所定の付加情報を付した背景画像を生成する背景画像生成手段と、前記背景画像に前記電子文書化設定情報に基づいて前記画像分割手段により得られた分割画像を所定の領域に配置して合成する画像合成手段と、前記合成手段により合成された合成画像を保存する画像保存手段とを有した画像処理装置を構成するコンピュータに、
前記複数の原稿の電子文書化に供される電子文書化設定情報を予め用意し、
前記電子文書化設定情報に基づいて所定の原稿用紙に所定の付加情報を付した背景画像を生成し、
前記背景画像に前記電子文書化設定情報に基づいて前記画像分割手段により得られた分割画像を所定の領域に配置して合成し、
前記合成された合成画像を保存する処理を実行させることを特徴とするプログラム。
【請求項６】
前記合成画像を保存する際に電子署名を添付する処理を実行させることを特徴とする請求項５に記載のプログラム。
【発明の詳細な説明】
【技術分野】
【０００１】
本発明は、画像入力手段により複数の原稿を同時に読み込み、該読み込んだ画像から画像分割手段により各原稿に分割し所定の処理をする画像処理装置、画像処理方法及びプログラムに関し、特に一度に複数の原稿を読み取り処理を行う際に好適な画像処理装置、画像処理方法及びプログラムに関する。
【背景技術】
【０００２】
近年、複写機等の画像処理装置において、種々の原稿を一度に読み取り可能なものが提案されている。具体的には、例えば下記特許文献１で示すものは、画像読取装置で複数の原稿を一度に読み取り、この複数の原稿画像を含む読み取り画像データを原稿画像毎の領域に分割するものである。
【０００３】
具体的には、コンタクトガラス上に同一形状の原稿を複数並べて置き、これを一度に読み取る。この読み取り画像はエッジを抽出することにより、複数の原稿画像毎の領域に分割する。これら分割された画像データは記憶部に蓄積され、その後の処理に供される。その後の処理とは、操作者が記憶部から画像データを読み出して表示装置に表示し、表示された状態を見ながら印刷する原稿を選択する、あるいは、操作者は表示を見ながら必要に応じて縮小、拡大、合成装飾等を行なうものである。
【０００４】
【特許文献１】特開２００５−５７６０３号公報（段落〔００６０〕、〔００７０〕、〔０１４５〕、〔０１５５〕〜〔０１６５〕）
【発明の開示】
【発明が解決しようとする課題】
【０００５】
近時、特に納品書、請求書、見積書及び領収書などの管理を行う場合、管理費や倉庫代の保存コストを削減する観点からイメージファイルとして記憶装置に保存することが望まれており、複数の大きさの異なる書類を一度に認識できることから、上記特許文献１に開示されているような画像処理装置が有利に利用可能である。
【０００６】
しかしながら、上記特許文献１で示す従来技術においては、サイズや形状を種々異にする原稿について統一した形状にまとめることが考慮されていないこと、及び電子文書化する際に新たに付加情報を追加することができないことから上記要望に十分に答えることはできない。そのため、一度に原稿を読み込んだとしても、その後の作業に多くの時間を要することから実用化しにくいという問題点を有している。
【０００７】
そこで、本発明は上記の問題点に鑑み、画像入力手段により複数の原稿を同時に読み込むとともに、この読み込んだ画像から画像分割手段でもって各原稿に分割し所定の処理をする際に、サイズ、形状等を異にする複数の原稿を同時に読み取っても、読み取った原稿毎に同一の形式に収め、且つ所定の付加情報を付すことができる新規な画像処理装置、画像処理方法及びプログラムを提供することを目的とする。
【課題を解決するための手段】
【０００８】
前記課題を解決するために、本願の請求項１に係る画像処理装置の発明は、画像入力手段により複数の原稿を同時に読み込み、該読み込んだ画像から画像分割手段でもって各原稿に分割し所定の処理をする画像処理装置において、
前記複数の原稿の電子文書化に供される電子文書化設定情報が予め用意されている電子文書化設定手段と、
前記電子文書化設定手段に用意された前記電子文書化設定情報に基づいて所定の原稿用紙に所定の付加情報を付した背景画像を生成する背景画像生成手段と、
前記背景画像に前記電子文書化設定情報に基づいて前記画像分割手段により得られた分割画像を所定の領域に配置して合成する画像合成手段と、
前記合成手段により合成された合成画像を保存する画像保存手段と、
を有することを特徴とする。
【０００９】
また、本願の請求項２に係る発明は、請求項１に係る画像処理装置において、前記画像保存手段は、前記合成画像に電子署名を添付して保存することを特徴とする。
【００１０】
また、本願の請求項３に係る画像形成方法の発明は、画像入力手段により複数の原稿を同時に読み込み、該読み込んだ画像から画像分割手段でもって各原稿に分割し所定の処理をする画像処理方法において、
前記複数の原稿の電子文書化に供される電子文書化設定情報を予め用意し、
前記電子文書化情報に基づいて所定の原稿用紙に所定の付加情報を付した背景画像を生成し、
前記背景画像に前記電子文書化設定情報に基づいて前記画像分割手段により得られた分割画像を所定の領域に配置して合成し、
前記合成された合成画像を保存する、
ことを特徴とする。
【００１１】
また、本願の請求項４に係る発明は、請求項３に係る画像処理方法において、前記合成画像を保存する際に電子署名を添付することを特徴とする。
【００１２】
また、本願の請求項５に係るプログラムの発明は、画像入力手段により複数の原稿を同時に読み込み、該読み込んだ画像から画像分割手段でもって各原稿に分割し所定の処理をする画像処理装置において、前記複数の原稿の電子文書化に供される電子文書化設定情報が予め用意されている電子文書化設定手段と、前記電子文書化設定手段に用意された前記電子文書化設定情報に基づいて所定の原稿用紙に所定の付加情報を付した背景画像を生成する背景画像生成手段と、前記背景画像に前記電子文書化設定情報に基づいて前記画像分割手段により得られた分割画像を所定の領域に配置して合成する画像合成手段と、前記合成手段により合成された合成画像を保存する画像保存手段とを有した画像処理装置を構成するコンピュータに、
前記複数の原稿の電子文書化に供される電子文書化設定情報を予め用意し、
前記電子文書化設定情報に基づいて所定の原稿用紙に所定の付加情報を付した背景画像を生成し、
前記背景画像に前記電子文書化設定情報に基づいて前記画像分割手段により得られた分割画像を所定の領域に配置して合成し、
前記合成された合成画像を保存する処理を実行させることを特徴とする。
【００１３】
また、本願の請求項６に係る発明は、請求項５に係るプログラムにおいて、前記合成画像を保存する際に電子署名を添付する処理を実行させることを特徴とする。
【発明の効果】
【００１４】
本発明は上記構成を備えることにより、以下に示すような優れた効果を奏する。すなわち、本願の請求項１に係る発明においては、電子文書化設定情報でもって背景画像生成手段が付加情報を付した共通の背景画像を生成し、画像合成手段により背景画像の所定の領域に分割画像を合成して保存する。そのため、サイズ、形状等を異にする複数の原稿は同時に読み取っても予め設定した共通の背景画像に合成した合成画像に自動的に処理されるので、電子文書化を達成する際に、操作者が特別な操作を行なうことなく異なった原稿を同一形式に確実に収めることができる。また、予め用意した共通の付加情報を電子文書に自動的に付加することができるので、付加情報を付加した電子文書を得る際に、操作者が特別な操作を行なうことなく確実に目的を達成できる。
【００１５】
また、本願の請求項２に係る発明の画像処理装置によれば、同時に読み込んだ原稿について、共通の電子署名を自動的に添付して電子文書として保存できるので、信頼性のある電子文書を簡単に得ることができる。
【００１６】
また、本願の請求項３及び４に係る発明においては、上記請求項１及び２の発明の効果を奏する画像処理方法を提供できる。
【００１７】
また、本願の請求項５及び６に係る発明においては、本プログラムを提供することで上記請求項１及び２の発明の効果を奏する画像形成装置を容易に提供できるようになる。
【発明を実施するための最良の形態】
【００１８】
以下、本発明の具体例を実施例及び図面を用いて詳細に説明する。
【実施例１】
【００１９】
以下、本発明の実施例について図面を参照して説明する。図１は本発明の実施例における画像処理装置を示すブロック図、図２は図１の画像処理装置において原稿を読み取る状態を示す説明図、図３は図１の画像処理装置のログインから分割画像生成までの動作シーケンスを示す説明図、図４は図１の画像処理装置の背景画像生成から電子文書保存までの動作シーケンスを示す説明図、図５は図１の画像処理装置によって分割画像が背景画像と合成される過程を示す説明図、図６は図１の画像処理装置によって他の分割画像が背景画像と合成された画像を示す説明図である。
【００２０】
図１において画像処理装置１は、画像処理装置１を全体的に制御する主制御部１０と、操作者による各種の操作入力が行われる操作部１１と、複数の原稿から同時に画像を読み込んで入力する画像入力部１２と、入力された画像から各原稿に分割する画像分割部１３と、電子文書化設定情報と画像分割部１３で得られた分割画像を記憶する記憶部１４と、背景画像を生成する背景画像生成部１５と、分割画像と背景画像を処理して合成する画像合成部１６と、合成された処理画像を保存する画像保存部１７とから構成されている。画像保存部１７には処理画像を保存するハードディスク記憶装置（図示せず）等の記憶装置が設けられている。そして、この記憶装置から必要に応じて処理画像が読み出されてプリンタ（図示せず）により出力用紙に印字されるようになっている。
【００２１】
画像分割部１３は、同時に読み込まれた原稿の縁を検出して分割するが、これと同時に原稿の傾きを検出してこれを修正するようになっている。
【００２２】
記憶部１４には、画像分割部１３で分割されて得られた分割画像を記憶する分割画像記憶回路１４０と電子文書化設定情報を記憶する電子文書化設定情報記憶回路１４１とが設けられている。電子文書化設定情報は予め記憶されているものであり、操作部１１の操作によって読み出されて電子文書化に供されるようになっている。この電子文書化設定情報には、大きく分けて以下の２種が用意されている。第一には、読み込んだ画像の座標指示、保存用紙サイズ指示等を設定する読み込み画像領域設定情報である。第二には、読み込み時刻、操作者名、文書ＩＤ、バーコード等とその座標指示を設定する付加情報の設定情報である。
【００２３】
主制御部１０は、画像入力部１２に対する解像度やスキャンカラー等を指定する情報を記憶する記憶回路（図示せず）を有している。また、主制御部１０は、操作部１１からのログインによって入力されるユーザＩＤやパスワードの認証を行なって、認証が得られるとユーザＩＤが記憶されるようになっている。更に、主制御部１０は、画像保存部１７における処理画像の保存に際して電子署名を添付し、タイムスタンプ及びファイル名を付すようになっている。これは電子文書化がなされた事実を公式に証明するために予め用意されているものであり、この他にも任意で設定可能である。
【００２４】
画像入力部１２は、図２で示すようにコンタクトガラス１２０上に配置された大きさ、形状の異なる複数の原稿２０Ａ、２０Ｂ……２０Ｎについて電子文書化する場合を例として説明する。ここで、図２はコンタクトガラス１２０の下方から見た状態を示す。そして、読み取りは矢印Ａで示す方向に向かって行なわれるようになっている。
【００２５】
上述した本発明の実施例による画像処理装置１の動作について図３及び図４を参照して説明する。
【００２６】
まず、操作者は図３において示すように、操作部１１からユーザ情報でもってログインを行なう。このユーザ情報は主制御部１０で認証されるとユーザＩＤが記録されて取得状態となる。ユーザＩＤの認証はこのデータを記録したカードの読み取りによって行なうこともできる。
【００２７】
次に、操作者は操作部１１でもって電子文書化設定の操作を行なう。この操作によって、主制御部１０は電子文書化設定情報記憶回路１４１からの電子文書化情報の読み出しを設定する。また、主制御部１０は画像入力部１２に対して解像度とスキャンカラーを指定する。
【００２８】
その後、操作者は操作部１１でもって読み込み開始の操作を行なう。主制御部１０は操作部１１の操作によって画像入力部１２における画像読み取りを開始させる。画像入力部１２は指定された解像度とカラーによって原稿２０Ａ、２０Ｂ……２０Ｎを同時に読み取る。同時に読み取った画像データは画像分割部１３に供給され、原稿２０Ａ、２０Ｂ……２０Ｎ毎に分割されて分割画像３０Ａ、３０Ｂ…３０Ｎとされる。これら分割画像３０Ａ、３０Ｂ……３０Ｎは記憶部１４の分割画像記憶回路１４０に記憶される。同時に、読み込み時刻が記憶される。
【００２９】
読み込まれた画像が分割されて記憶されると、図４で示すように、主制御部１０は記憶部１４に記憶されている電子文書化設定情報を呼び出して背景画像生成部１５に供給する。背景画像生成部１５においては、図５で示すように電子文書化設定情報中の画像領域設定情報でもって原稿用紙５０のサイズ、読み込んだ画像の画像領域６０が指定される。一方、電子文書化設定情報中の付加情報についての設定条件により付加情報７０の内容とその描画領域が指定される。即ち、背景画像生成部１５は主制御部１０の背景画像生成の制御によって背景画像８０が生成される。
【００３０】
主制御部１０は背景画像生成部１５で生成された背景画像８０を画像合成部１６に供給すると共に、記憶部１４に記憶されている分割画像３０Ａ、３０Ｂ……３０Ｎを画像合成部１６に供給する。例えば、図５で示すように、同時に読み込まれた原稿２０Ａからその後に分割して得られた分割画像３０Ａと背景画像８０とを画像合成部１６において合成して合成画像４０Ａを得る。この合成画像４０Ａは画像保存部１７において電子署名が添付され、タイムスタンプ、ファイル名及びファイル属性等が付されて電子文書として保存される。この合成に当たっては、分割画像３０Ａは画像領域６０の左上隅を基準にして配置されている。
【００３１】
また、画像入力部１２において同時に読み込んだ原稿２０Ｂも同様に分割される。そして、図６で示すように、分割画像３０Ｂは画像合成部１６において背景画像８０と合成されることで合成画像４０Ｂが得られる。この合成画像４０Ｂは画像保存部１７において電子文書として保存される。
【００３２】
以下同様に、画像処理装置１は原稿２０Ｃ……２０Ｎから分割画像３０Ｃ……３０Ｎを形成し背景画像８０と合成し、画像保存部１７において電子文書として保存する。
【００３３】
上述した本発明の実施例によれば、操作者は操作部１１を操作して画像入力部１２において複数の原稿２０Ａ、２０Ｂ……２０Ｎを同時に読み込み、その画像データから分割画像３０Ａ、３０Ｂ……３０Ｎを得ることができる。そして、背景画像生成部１５は電子文書化の操作によって電子文書化設定情報に基づく背景画像８０を生成する。画像合成部１６は分割画像３０Ａ、３０Ｂ……３０Ｎを背景画像８０と合成させる。これら合成された合成画像４０Ａ、４０Ｂ……３０Ｎは画像保存部１７に保存する。これらの一連の動作は主制御部１０の制御によって自動的に行なわれる。
【００３４】
また、原稿２０Ａ、２０Ｂ……２０Ｎはサイズ、形状を互いに異にするものであるが、原稿用紙５０の画像領域６０内に自動的に配置されて合成される。しかも、予め用意した付加情報７０は合成画像４０Ａ、４０Ｂ……４０Ｎに自動的に付加される。更に、画像保存に際しては電子署名が一括して添付される。
【００３５】
従って、サイズ、形状等を異にする複数の原稿について、操作者が個々に操作を行なわなくても、画像処理装置１内で自動的に背景画像８０を共通にした合成画像４０Ａ、４０Ｂ……４０Ｎを取得し、これら合成画像４０Ａ、４０Ｂ……４０Ｎに所定の付加情報７０を付し、更に電子署名を添付して電子文書化として保存する。
【００３６】
尚、本発明の実施例においては、画像保存部１７において合成画像に電子署名を添付し電子文書として保存するようにしたが、本発明は、例えば各種の文献、資料等において電子署名を添付することなく電子文書として保存するようにしてもよい。
【００３７】
尚また、本発明においては、分割画像に順序を持たせて保存する際に通し番号を付すようにすれば、連続読み込み等を行った場合にも分かりやすく好ましい。
【図面の簡単な説明】
【００３８】
【図１】図１は本発明の実施例における画像処理装置を示すブロック図である。
【図２】図２は図１の画像処理装置において原稿を読み取る状態を示す説明図である。
【図３】図３は図１の画像処理装置のログインから分割画像生成までの動作シーケンスを示す説明図である。
【図４】図４は図１の画像処理装置の背景画像生成から電子文書保存までの動作シーケンスを示す説明図である。
【図５】図５は図１の画像処理装置によって分割画像が背景画像と合成される過程を示す説明図である。
【図６】図６は図１の画像処理装置によって他の分割画像が背景画像と合成された画像を示す説明図である。
【符号の説明】
【００３９】
１                      画像処理装置
１０                    主制御部
１１                    操作部
１２                    画像入力部
１３                    画像分割部
１４                    記憶部
１５                    背景画像生成部
１６                    画像合成部
１７                    画像保存部
２０Ａ、２０Ｂ…２０Ｎ  原稿
３０Ａ、３０Ｂ…３０Ｎ  分割画像
４０Ａ、４０Ｂ…４０Ｎ  合成画像
５０                    原稿用紙
６０                    画像領域
７０                    付加情報
８０                    背景画像
１２０                  コンタクトガラス
１４０                  分割画像記憶回路
１４１                  電子文書化設定情報記憶回路
【図１】
2007110339.tif 000003
【図２】
2007110339.tif 000004
【図３】
2007110339.tif 000005
【図４】
2007110339.tif 000006
【図５】
2007110339.tif 000007
【図６】
2007110339.tif 000008